(57)【要約】【課題】  システム全体を管理するような機器を必要とせずに容易に設定変更することを可能にした映像信号の補助データ制御装置を提供する。【解決手段】  映像信号に設定情報に基づき任意情報を重畳するエンコーダと、通信手段を介してエンコーダから映像信号を受信し、設定情報に基づいて映像信号から任意情報を読出すデコーダを備える補助データ制御装置であって、エンコーダは、設定情報に従い映像信号に任意情報を重畳する重畳手段と、入力手段からのデータが、設定情報を設定する設定指令である場合は重畳手段に設定情報を設定し、重畳情報である場合はデータを重畳手段に設定する重畳制御手段とを有し、デコーダは、入力された映像信号に重畳されている情報を読出す読出し手段と、読出された情報が、設定指令の場合は読出し手段に読出された設定情報を設定し、重畳された情報の場合は、読出された情報を出力する読出し制御手段を有する。【選択図】  図１
2015046805.tif 000002
【特許請求の範囲】
【請求項１】
入力された映像信号に、多重設定情報に基づいて補助データとして任意の情報を重畳するエンコーダと、
第１の通信手段を介して前記エンコーダから映像信号を受信し、前記多重設定情報に基づいて該映像信号から前記任意の情報を読出すデコーダと、
前記エンコーダにデータを入力する入力手段と、
を備える、映像信号の補助データ制御装置であって、
前記エンコーダは、前記多重設定情報に基づいて映像信号に任意の情報を重畳する重畳手段と、前記入力手段から入力されたデータが前記多重設定情報を設定する設定指令である場合は、前記重畳手段に該多重設定情報を設定し、前記入力手段から入力されたデータが重畳する情報である場合は、該データを前記重畳手段に重畳するデータとして設定する重畳制御手段と、を有し、
前記デコーダは、入力された映像信号に多重設定情報で重畳されている情報を読み出す読出し手段と、前記読出し手段で読み出された情報が多重設定情報を設定する設定指令である場合は、前記読出し手段に読み出された多重設定情報を設定し、前記読出し手段で読み出された情報が重畳された情報である場合は、該読み出された情報を出力する読出し制御手段と、を有する、
ことを特徴とする映像信号の補助データ制御装置。
【請求項２】
前記重畳制御手段は、前記入力手段からのデータが前記多重設定情報を設定する設定指令である場合は、前記重畳手段に設定する前記多重設定情報を重畳するデータとして映像信号に重畳してから第１の時間の経過後に前記重畳手段に該多重設定情報を設定する、ことを特徴とする、請求項１に記載の映像信号の補助データ制御装置。
【請求項３】
前記多重設定情報は、映像信号内の位置と、データの形式と、を含む、ことを特徴とする請求項１又は２に記載の映像信号の補助データ制御装置。
【請求項４】
前記入力手段は、第２の通信手段を介して前記エンコーダと通信する、ことを特徴とする請求項１乃至３のいずれか１項に記載の映像信号の補助データ制御装置。
【請求項５】
前記エンコーダからの映像信号に前記多重設定情報に基づいて第２の任意の情報を重畳する第２のエンコーダと、
第１の通信手段を介して前記第２のエンコーダからの映像信号を受信して前記デコーダに出力し、前記多重設定情報に基づいて該映像信号から前記第２の任意の情報を読出す第２のデコーダと、
を更に有し、
前記第２のエンコーダは、前記エンコーダからの前記映像信号に前記多重設定情報で重畳されている情報を読み出すエンコーダ読出し手段と、前記多重設定情報に基づいて前記エンコーダからの前記映像信号に前記第２の任意の情報を重畳する第２の重畳手段と、前記エンコーダ読出し手段で読み出されたデータが前記多重設定情報を設定する設定指令である場合は、前記エンコーダ読出し手段と前記第２の重畳手段に該多重設定情報を設定する、第２の重畳制御手段と、を有し、
前記第２のデコーダは、入力された映像信号に前記多重設定情報で重畳されている情報を読み出す第２の読出し手段と、前記第２の読出し手段で読み出された情報が多重設定情報を設定する設定指令である場合は前記読出し手段に読み出された多重設定情報を設定し、前記第２の読出し手段で読み出された情報が前記第２の任意の情報である場合は、該読み出された情報を出力する、第２の読出し制御手段と、を有する、
ことを特徴とする、請求項１に記載の映像信号の補助データ制御装置。
【請求項６】
前記第２の読出し制御手段は、前記第２の読出し手段で読み出された情報が前記多重設定情報を設定する設定指令であることを認識してから、第３の時間の経過後に前記第２の読出し手段に該多重設定情報を設定し、
前記第２の重畳制御手段は、前記エンコーダ読出し手段で読み出された情報が前記多重設定情報を設定する設定指令であることを認識してから、前記第３の時間より長い第２の時間の経過後に前記エンコーダ読出し手段及び前記第２の重畳手段に該多重設定情報を設定し、
前記重畳制御手段は、前記入力手段からのデータが前記多重設定情報を設定する設定指令であることを認識してから、前記第２の時間より長い第１の時間の経過後に前記重畳手段に該多重設定情報を設定する、
ことを特徴とする、請求項５に記載の映像信号の補助データ制御装置。
【請求項７】
前記多重設定情報は、データパケットの中のデータ領域が複数の領域として規格化された領域のいずれかの領域として設定さているか否かを含み、
複数の領域として規格化された領域のいずれかの領域として設定さている場合は、多重設定情報を変更しない、
ことを特徴とする請求項１乃至６のいずれか１項に記載の映像信号の補助データ制御装置。
【請求項８】
レンズ装置とカメラ装置とを含む撮影装置と、
前記撮影装置からの映像信号が入力されるエンコーダを含む、請求項１乃至７のいずれか１項に記載の映像信号の補助データ制御装置と、
前記補助データ制御装置の前記デコーダから出力される映像信号が入力されて映像を表示する映像表示手段と、
前記補助データ制御装置の前記デコーダから出力される読み出された多重データを表示する多重情報表示手段と、
を有することを特徴とする撮影システム。
【発明の詳細な説明】
【技術分野】
【０００１】
本発明は、映像信号の補助データ制御装置に関し、特に映像信号への補助データの多重化及び読出しを制御する装置、及びそれを有する撮影システムに関するものである。
【背景技術】
【０００２】
従来、撮影装置で撮影された映像を伝送する際に、撮影環境などに関する情報も加えて伝送するため、映像信号のブランキング期間を活用して伝送される補助信号（以下、補助データと記載する）を使用するシステムが知られている。例えば、特許文献１では、カメラやレンズの設定情報をメタデータとして映像信号に多重し、この情報を使用することで、フレーム単位で同期させる表示制御装置の例が開示されている。また、補助データのパケット形式等については、非特許文献１に記載のような形で規格化されており、非特許文献２に記載されているTR-B22や非特許文献３に記載されているTR-B23などの形式がある。
【０００３】
一方、遠隔地に設置されたカメラやレンズを、放送局等に設置されている操作器から遠隔操作する撮影システムが知られている。このような撮影システムにおいては、特許文献２に記載されているとおり、映像信号用とは別系統に、制御信号用の伝送路を持つのが一般的である。
【先行技術文献】
【特許文献】
【０００４】
【特許文献１】特許４１６１７７３号
【特許文献２】特開２０１１−３５７１０号公報
【非特許文献】
【０００５】
【非特許文献１】「1125/60方式HDTVビット直列インタフェースにおける補助データの共通規格」、標準規格、社団法人電波産業会
【非特許文献２】「デジタルハイビジョン素材伝送補助データ運用規定」、技術資料 TR-B22、社団法人電波産業会
【非特許文献３】「放送局間の情報伝送に使用する補助データ運用規定」、技術資料 TR-B23、社団法人電波産業会
【発明の概要】
【発明が解決しようとする課題】
【０００６】
ここで、上記のようなシステムでは、映像信号に補助データを多重する装置（以下、エンコーダ）と映像信号の中から補助データの情報を取り出す装置（以下、デコーダ）の設定を合致させておく必要がある。具体的に、非特許文献１〜３に記載されている規格の例をもとに説明する。図１３に非特許文献１に記載の補助データの形式を示す。補助データ（映像信号のブランキング期間を活用して伝送される補助信号）のパケットは、第１形式と第２形式の２種類の構造をもつ。第１形式のパケットは、ADF（補助データフラグ）、DID（データ識別ワード）、DBN（データブロック番号ワード）、DC（データカウントワード）、UDW（ユーザデータワード）、CS（チェックサムワード）から構成される。第２形式のパケットは、第１形式のDBN（データブロック番号ワード）の位置にSDID（第２データ識別ワード）を有する点が異なるが、他の構成は第１形式と同じである。また、パケットの形式の例として、図１４にTR-B22、図１５にTR-B23の例を示す。いずれも、第２形式のパケットである。実際に使用する撮影環境などに関するデータはUDWに挿入し、それ以外の部分をパケットのヘッダ部として付加する。ADFはパケットの形式に依らず固定の値である一方、DIDやSDIDはパケットの形式によっても変更されるものであり、デコーダはこれらの値をもとに、UDWに格納されたデータの種類等を判断する。また、DCはUDWのワード長を表す。UDWは0〜255ワードの範囲で可変長とすることができる領域であるが、TR-B22では80ワード、TR-B23では255ワードと規定されている。さらに、補助データのパケットは、TR-B22では必ず映像信号の所定のラインの先頭である0ワード目から多重されるのに対し、TR-B23は映像信号の所定ラインの262ワード目、524ワード目、786ワード目から挿入されることがある。
【０００７】
以上より、TR-B22やTR-B23といった補助データのパケット形式の規格、補助データが使用する（多重される）映像信号のライン（以下、多重ライン）、DID、SDIDといった内容が、離隔して設置されている装置内のエンコーダとデコーダ間で一致していないと、エンコーダが多重した情報をデコーダが正しく読み出すことできない。
【０００８】
しかしながら、上述の特許文献１に開示された従来技術では、上記の設定を変更する手段についての開示がない。一般的には、補助データのパケット形式の設定はパーソナルコンピュータ等から初期設定で行うものであり、装置の使用中にエンコーダとデコーダの稼働を停止させずに実施するものではない。初期設定で補助データのパケット形式を設定する際には機器が設置されている場所へ赴く必要があるため、一度設置した機器の設定を稼働中に変更しようとすることは困難であった。さらに、補助データのパケット形式を設定する際には、エンコーダとデコーダをシステムから取り外す必要があることや電源をリセットする必要がある。したがって、設定変更の際にはエンコーダとデコーダ間での映像信号の通信を中断させなければならないという問題があった。特許文献２に記載のシステムのように、制御信号を別系統として設けることで、現地に赴く手間を省くことは可能である。しかし、エンコーダとデコーダの両方に映像信号と制御信号の２系統の信号線を並列して設置することが必要であり、システム上の大きな制約となってしまう。また、エンコーダやデコーダが複数台、連なるシステムにおいては、機器に個別のIDを振り管理することが必要であり、大がかりなシステムとなってしまう。加えて、システム上に機器を増設する際には、増設する機器本体だけでなく、管理するシステムも設定変更が必要といった煩雑さの原因ともなってしまう。
【０００９】
そこで、本発明の目的は、システム全体を管理するような機器を必要とせずに容易に設定変更することを可能にした映像信号の補助データ制御装置及びそれを有する撮影システムを提供することである。
【課題を解決するための手段】
【００１０】
上記目的を達成するために、本発明の映像信号の補助データ制御装置は、入力された映像信号に多重設定情報に基づいて補助データとして任意の情報を重畳するエンコーダと、第１の通信手段を介して前記エンコーダから映像信号を受信し、前記多重設定情報に基づいて該映像信号から前記任意の情報を読出すデコーダと、前記エンコーダにデータを入力する入力手段と、を備え、映像信号の補助データ制御装置であって、前記エンコーダは、前記多重設定情報に基づいて映像信号に任意の情報を重畳する重畳手段と、前記入力手段からのデータが前記多重設定情報を設定する設定指令である場合は、前記重畳手段に該多重設定情報を設定し、前記入力手段からのデータが重畳する情報である場合は、該データを前記重畳手段に重畳するデータとして設定する重畳制御手段と、を有し、前記デコーダは、入力された映像信号に多重設定情報で重畳されている情報を読み出す読出し手段と、前記読出し手段で読み出された情報が多重設定情報を設定する設定指令である場合は前記読出し手段に読み出された多重設定情報を設定し、前記読出し手段で読み出された情報が重畳された情報である場合は、該読み出された情報を出力する読出し制御手段と、を有する、ことを特徴とする。
【発明の効果】
【００１１】
本発明によれば、システム全体を管理するような機器を必要とせずに、容易に設定変更することを可能にした映像信号の補助データ制御装置及びそれを有する撮影システムを提供することができる。
【図面の簡単な説明】
【００１２】
【図１】実施例１の撮影システムのブロック図である。
【図２】実施例１の設定情報の例である。
【図３】実施例１のエンコーダの内部構成のブロック図である。
【図４】実施例１のエンコーダＣＰＵのフローチャートである。
【図５】実施例１のデコーダの内部構成のブロック図である。
【図６】実施例１のデコーダＣＰＵのフローチャートである。
【図７】実施例２の撮影システムのブロック図である。
【図８】実施例２のエンコーダの内部構成のブロック図である。
【図９】実施例２のエンコーダＢの制御ＣＰＵのフローチャートである。
【図１０】実施例２のデコーダＢの制御ＣＰＵのフローチャートである。
【図１１】実施例３のエンコーダＢの制御ＣＰＵのフローチャートである。
【図１２】実施例３のデコーダＢの制御ＣＰＵのフローチャートである。
【図１３】ＡＲＩＢによって規定されている1125/60方式HDTVの補助データの構造である。
【図１４】ＡＲＩＢによって規定されている素材伝送補助データTR-B22の補助データの説明である。
【図１５】ＡＲＩＢによって規定されている放送局間の情報伝送用補助データTR-B23の1125/60iの場合の説明である
【発明を実施するための形態】
【００１３】
以下に、本発明の好ましい実施の形態を、添付の図面に基づいて詳細に説明する。
【実施例１】
【００１４】
以下、本発明の第１の実施例について説明する。
【００１５】
図１に、本発明の実施例１にかかわる映像信号の補助データ制御装置であるエンコーダおよびデコーダを使用した撮影システムのブロック図を示す。撮影システムは、操作器１０、雲台撮影装置２０、エンコーダ３０、デコーダ４０、表示機５０から構成される。雲台撮影装置２０はカメラ２２、レンズ２３およびこれらを旋回するためのヘッド２１から構成される。また、表示機５０は、映像を表示するための映像用表示機（映像表示手段）５１と雲台撮影装置２０を設置している場所に関する情報（以下、設置場所情報と記載する）を表示するための設置場所用表示機（多重情報表示手段）５２から構成される。
【００１６】
雲台撮影装置２０が設置されている側（以下、設置側システムと記載する）には、雲台撮影装置２０とエンコーダ３０が構成されている。設置側システムとしては、例えば、遠隔地に設置されたシステム、運動競技場内の複数の位置に設置されたシステム、撮影スタジオ内に設置されたシステム、等を含むことができる。雲台撮影装置２０を遠隔操作するための操作器（入力手段）１０が設置されている側（以下、放送局側システムと記載する）には、操作器１０、デコーダ４０、表示機５０が構成されている。設置側システムと放送局側システムとの間には、操作器１０が雲台撮影装置２０を操作するための制御信号を伝送する経路がある。さらに、雲台撮影装置２０内のカメラ２２で撮影した映像信号を設置側システムから放送局側システムへ一方向に伝送する経路の２系統の伝送路を有する。制御信号の伝送経路には電話回線を使用した双方向通信（第２の通信手段）、映像信号の伝送経路にはテレビジョン信号の無線伝送装置FPU（Field Pickup Unit）（第１の通信手段）を使用した設置側システムから放送局側システムへの片方向通信といった形態がある。
【００１７】
以下に操作器１０から雲台撮影装置２０を制御する際の処理の流れについて説明する。
【００１８】
まず、操作者が雲台撮影装置２０に任意の動作をするよう操作器１０を操作すると、操作された内容に基づく制御信号が雲台撮影装置２０へ送信される。送信された制御信号は、エンコーダ３０を介し、雲台撮影装置２０へ送信される。操作器１０からの操作命令は、まず雲台撮影装置２０内でヘッド２１によって認識され、パン・チルトの動作命令の場合はパン・チルトを動作させ、カメラ関連の命令の場合はカメラ２２へ、レンズ関連の命令の場合はレンズ２３へ、制御信号を送信することで、各種の制御を行う。
【００１９】
次に、映像信号の流れについて説明する。カメラ２３が撮影した映像信号は、まずエンコーダ３０に送られる。エンコーダ３０は映像信号の補助データに設置場所情報などのデータを重畳し、出力する。出力された映像信号は放送局側システムに送出され、デコーダに送られる。デコーダは映像信号を映像用表示機５１に送るのと同時に、映像信号の中からエンコーダが重畳したデータを認識し、重畳された設置場所情報を読出して設置場所用表示機５２に送信する。設置場所用表示機５２が設置場所情報を表示することで、映像用表示機に表示している映像がどの場所に設置されている雲台撮影装置から取得された映像であるかを視覚的に判別することができる。このように、映像用表示機５１と設置場所用表示機５２とを備えることによって、放送される可能性のある映像が、そのような属性（設置場所情報など）の映像であるのかを、放送される可能性のある映像内に表示させることなく、常時、視認することが可能となる。
【００２０】
さらに、操作器１０からエンコーダ３０へ設定情報を送信し、エンコーダ３０やデコーダ４０の設定を変更する手順について説明する。図２に設定情報の項目とその内容の例を示す。設定情報はTR-B22などの補助データのデータパケットの形式と、多重ライン、DID、SDIDなど多重データを挿入する映像信号内の位置やそのデータパケットのヘッダ部を規定する多重設定情報と、設置場所情報がある。多重設定情報を変更する際は、操作器１０上で使用したい多重ライン、DID、SDIDなどの各項目を選択し、決定動作を行う。一方、設置場所情報を変更する際は、操作器１０上で設置場所情報を入力し、決定動作を行う。操作器１０は、決定動作が行われると、その内容を設定情報としてエンコーダ３０に送信する。
【００２１】
図３に、エンコーダ３０の内部のブロック図を示す。エンコーダ３０は、エンコーダＣＰＵ（重畳制御手段）３１とエンコードＩＣ（重畳手段）３２によって構成される。また、このほか、外部との入出力用として、映像伝送経路の映像入力コネクタ３３と映像出力コネクタ３４、および制御通信経路の通信ポートＡ３５と通信ポートＢ３６で構成される。エンコーダＣＰＵ３１は、通信ポートＡ３５を介して操作器１０と、通信ポートＢ３６を介して雲台撮影装置２０と通信を行うことに加え、エンコードＩＣ３２に対して設定を行う。エンコーダＣＰＵ３１がエンコードＩＣ３２のレジスタへ、操作器１０からの設定情報に応じた内容を登録しておくことで、エンコードＩＣ３２が登録された内容に基づいた補助データを、カメラ２２からの映像に重畳し、映像出力コネクタ３４へ出力する。
【００２２】
以下に、エンコーダＣＰＵ３１の処理の詳細について図４のフローチャートをもとに説明する。エンコーダＣＰＵ３１は操作器１０からコマンドを受信したかを常時確認する（Ｓ１１）。コマンドを受信した場合には、そのコマンドがエンコーダ３０自身で処理すべきコマンドであるかを確認する（Ｓ１２）。自身で実行すべきコマンドではなかった場合には、雲台撮影装置２０の制御用のコマンドであるため、受信したデータをそのまま通信ポートＢ３６を介し雲台撮影装置２０へ送信する（Ｓ２０）。一方、エンコーダＣＰＵ３１自身で実行すべきコマンドであった場合には、さらにその内容が多重設定情報の設定指令であるかを確認する（Ｓ１３）。多重設定情報の設定指令であった場合は、この設定指令に対応する内容のデータを映像信号に多重する（Ｓ１４）。これにより、設定指令を補助データとして含む映像信号がデコーダ４０に出力される。その後、設定指令を補助データとして含む映像信号を受信したデコーダ４０が、それに応じた多重設定情報の設定の変更が完了するまでの時間として、所定の時間（第１の時間）が経過するまで待つ（Ｓ１５）。所定の時間の経過後、エンコードＩＣ３２の設定を変更することで、エンコーダ３０自身の設定の変更を行う（Ｓ１６）。これ以後、エンコーダ３０からは、変更御の多重設定情報に基づいて補助データが重畳され、放送局側システムのデコーダ４０に映像信号が送信され、デコーダ４０は、変更後の多重設定情報に基づいて補助データを正しく読み出すことができる。Ｓ１３において、多重設定情報の設定指令でなかった場合は、Ｓ１７でコマンドが設置場所情報の設定指令であったか否かを判断する。コマンドが設置場所情報の設定指令であった場合は、エンコードＩＣ３２のレジスタへ設置場所情報を新たに設定し、多重される内容が変更されるようにする（Ｓ１８）。コマンドが上記以外のものであった場合には、あらかじめ決められている所定の処理を行う（Ｓ１９）。
【００２３】
図５に、デコーダ４０の内部のブロック図を示す。デコーダ４０はエンコーダ３０とほぼ共通の構成であるが、エンコーダＣＰＵ３１の代わりにデコーダＣＰＵ（読出し制御手段）４１が、エンコードＩＣ３２の代わりにデコードＩＣ（読出し手段）４２が構成されている。デコーダＣＰＵ４１は、あらかじめ設定された多重設定情報に応じた内容をデコードＩＣ４２のレジスタへ設定しておく。デコードＩＣ４２は映像入力コネクタ３３を介してエンコーダ３０からの映像信号を受信し、その中から補助データを認識し、設定に応じた内容の多重データが存在した場合には、多重データをデコーダＣＰＵ４１へ送信する。デコーダＣＰＵ４１は多重データの情報の中から、設置場所情報を抜き出し、表示機通信ポート３５を介して表示機５０に送信する。
【００２４】
以下に、デコーダＣＰＵ４１の処理の詳細について図６のフローチャートをもとに説明する。ここで、デコーダ４０の多重設定情報は、エンコーダ３０と同一の内容が、あらかじめ設置時等に登録されているものとする。デコーダＣＰＵ４１はデコードＩＣ４２からの多重データの受信の有無を常に監視する（Ｓ３１）。多重データを受信した際には、デコーダＣＰＵ４１自身で実行すべきコマンドであるかを判定する（Ｓ３２）。実行すべきコマンドであった場合、その内容が多重設定情報の変更コマンドであるならば（Ｓ３３）、デコードＩＣ４２のレジスタへ内容に応じた値を設定する（Ｓ３４）。一方、設置場所情報であるならば（Ｓ３５）、設置場所用表示機５２へデータを送信する（Ｓ３６）。また、それ以外の場合には、あらかじめ決められている所定の動作を行う（Ｓ３７）。
【００２５】
以上のように、多重設定を変更する際には映像信号の補助データへ多重設定変更命令を多重することで、エンコーダ３０とデコーダ４０をそれぞれ別々に設定変更するのではなく、一連の処理で設定変更することが可能となる。また、エンコーダ３０とデコーダ４０を稼働させながら設定を変更することが可能であるため、システム上、映像信号を途切れさせることなく設定を変更することが可能である。
【００２６】
本実施例の派生するシステムとして、エンコーダＣＰＵ３１とエンコードＩＣ３２は別々のものとしたが、一つのＩＣで行っても良い。デコーダ４０も同様にデコーダＣＰＵ４１とデコードＩＣ４２は一つのＩＣで行っても良い。デコード時の設置場所情報の表示方法として、映像用表示機５１と別に設置場所用表示機５２を設けているが、映像と設置場所情報が関連付けられた形であれば、どのように実現しても良い。本実施例では、設置場所情報を、設置場所用表示機５２へ表示する例を挙げたが、雲台撮影装置２０のパン・チルト位置やズーム・フォーカスの位置など、もしくは雲台撮影装置２０に接続された気象計のデータなどとしても良い。デコーダ４０の通信ポートＢ３６には何も接続していないが、多重データ内部の情報を表示するための他の機器を接続しても良い。多重設定情報は操作器１０からエンコーダ３０に送信するものとしたが、操作器１０とは別の機材を設けて設定しても良い。多重設定情報の内容も一般的なもののみをあげているが、システムに合わせて項目を追加しても良い。
【実施例２】
【００２７】
以下、本発明の第２の実施例について説明する。図７に、本発明の実施例２にかかわる映像信号の補助データ制御装置であるエンコーダおよびデコーダを使用した撮影システムのブロック図を示す。図７の構成は図１に示した実施例１の構成と比較し、エンコーダおよびデコーダが２台ずつ構成されていることに加え、気象計６０、気象データ表示機（多重情報表示手段）７０が追加されている。エンコーダＡ３０ａおよびデコーダＡ４０ａは実施例１のエンコーダ３０およびデコーダ４０に相当する。気象計６０は設置場所における温度や湿度や雨量を測定し、その気象データ（第２の任意の情報）を通信データとして出力するものである。気象データはエンコーダＢ（第２のエンコーダ）３０ｂよって多重データとして映像信号に多重され、デコーダＢ（第２のデコーダ）４０ｂによって読み出され気象データ表示機７０に送られて表示される。それにより、映像を取得している雲台撮影装置２０が設置されている場所の気象データを、撮影映像と独立して知ることができる。
【００２８】
図８に、エンコーダＢ３０ｂの内部のブロック図を示す。図３に記載の実施例１のエンコーダ３０と比較し、デコードＩＣ（エンコーダ読出し手段）４２が構成され、図５記載の実施例１のデコーダ４０と組み合わせたものとなっている。また、エンコードとデコードの両方の処理を行うため、実施例１のエンコーダＣＰＵ３１に対して制御ＣＰＵ（第２の重畳制御手段）３７が構成されている。図８の構成であれば、エンコーダとデコーダの双方の動作が可能であるため、どちらで動作するかという設定を持つことで、エンコーダとデコーダの間でハード構成を共通化することができる。設定はあらかじめ制御ＣＰＵ３７に登録しているものとしても良いが、好ましくは、図８のように設定ＳＷ３８を追加し、この設定を制御ＣＰＵ３７が読み込みことで、エンコーダとデコーダの間で動作を切り替える構成とすると良い。エンコーダＢ３０ｂは映像入力コネクタ３３を介してエンコーダＡ３０ａと、映像出力コネクタ３４を介してデコーダＢ４０ｂと、通信ポートＡ３５を介して気象計６０と接続している。
【００２９】
以下、エンコーダＢ３０ｂの制御ＣＰＵ３７の処理の詳細について図９のフローチャートをもとに説明する。
【００３０】
Ｓ３１〜Ｓ３４およびＳ３７の処理は、図６に記載の実施例１のデコーダ４０の場合と同様である。制御ＣＰＵ３７はまず、デコードＩＣ４２からのコマンドを受信し、多重設定情報の変更コマンドが含まれているか否かを判別する。変更コマンドであった場合には、デコードＩＣ４２の設定を変更し、それ以外の制御ＣＰＵ３７自身で処理すべきコマンドの場合は、所定の処理を行う（Ｓ３１〜Ｓ３４、Ｓ３７）。但し、Ｓ３３とＳ３４の間に、デコーダＡおよびデコーダＢが設定変更されるまでの時間として、所定の時間（第２の時間）が経過したのち、デコードＩＣ４２自身の多重設定情報を設定変更する処理が追加されている（Ｓ４１）。加えて、通信ポートＡ３５の気象計６０からのデータを常時確認する（Ｓ４２）。データが存在した際には、エンコードＩＣ３２へ重畳するデータとしてデコードＩＣ４２で読み出されたデータと気象計６０からのデータからなる新たなデータを設定し、気象計６０のデータが映像信号に多重されるようにする（Ｓ４３）。
【００３１】
以下、デコーダＢ４０ｂの動作について説明する。デコーダＢ４０ｂは映像入力コネクタ３３を介してエンコーダＢ３０ｂと、映像出力コネクタ３４を介してデコーダＡ４０ａと、通信ポートＡ３５を介して気象データ表示機７０と接続されている。
【００３２】
デコーダＢ４０ｂの制御ＣＰＵ（第２の読出し制御手段）３７の処理の詳細について図１０のフローチャートをもとに説明する。Ｓ３１〜Ｓ３４、Ｓ３７、Ｓ４１の処理については、エンコーダＢ３０ｂの処理と同様である。制御ＣＰＵ３７は、まず、デコードＩＣ（第２の読出し手段）４２からのコマンドを受信し、多重設定情報の変更コマンドかを判別し、変更コマンドであった場合は、所定の時間（第３の時間）の経過後、デコードＩＣ４２の設定を変更する（Ｓ３１〜Ｓ３４、Ｓ４１）。ここで、所定の時間（第３の時間）とは、デコーダＡ４０ａの多重設定変更にかかる時間よりも長く、エンコーダＢ３０ｂのＳ４１の待ち時間（第２の時間）よりも短いことが好ましい。そうすることで、デコーダＢ４０ｂはデコーダＡ４０ａの多重設定変更に要する時間を待つことができ、エンコーダＢ３０ｂはデコーダＡ４０ａおよびデコーダＢ４０ｂの設定変更に要する時間を待つことが可能となる。受信したコマンドが気象データを含む場合には、通信ポートＡ３５を介して気象データ表示機７０へ気象データを送信することで、気象データを表示させる。
【００３３】
図８に記載の本実施例の内部構造をもつ映像信号補助装置は、エンコーダＢ３０ｂのみでも良いが、好ましくはエンコーダＡ３０ａおよびデコーダＡ４０ａおよびデコーダＢ４０ｂも同一の構成とした方が良い。そうすることで、全てのエンコーダ及びデコーダのハード構成は共通化することができ、設定ＳＷ３８によって、エンコーダとデコーダ間の動作を切替えることが可能となるため、システムの構成が容易となる。
【００３４】
以上のように、エンコードＩＣ３２とデコードＩＣ４２の両方を搭載することにより、エンコーダ３０とデコーダ４０を複数台接続したシステムにおいても、実施例１と同様の効果を得ることが可能となる。
【００３５】
本実施例の派生するシステムとして、制御ＣＰＵ３７とエンコードＩＣ３２とデコードＩＣ４２は別々のものとしたが、一つのＩＣで行っても良い。デコードした重畳データの設置場所情報、気象データの表示方法として、映像用表示機５１と別に設置場所用表示機５２、気象データ表示機７０を設けているが、映像と設置場所情報、気象データが関連付けられた形であれば、どのように実現しても良い。本実施例では、設置場所情報、気象データをそれぞれ、設置場所用表示機５２、気象データ表示機７０へ表示する例を挙げたが、雲台撮影装置２０のパン・チルト位置やズーム・フォーカスの位置などとしても良い。
【００３６】
加えて、エンコーダ３０およびデコーダ４０が２台ずつの構成としたが、少なくとも１台ずつ構成されていれば、何台でも良い。エンコーダ３０は通信ポートＡのみを使用するものとしたが、通信ポートＢも使用して、２台接続しても良い。また、機能をエンコーダとデコーダで明確に分けてはいるが、通信ポートＡはデコード用のデータ出力用、通信ポートＢはエンコード用のデータ多重用というように、両方の機能を実現するようにしても良い。
【００３７】
上記の実施例においては、エンコーダＡとデコーダＡとで設置場所情報のデータの映像信号への重畳と読出しを実施し、エンコーダＢとデコーダＢとで気象情報のデータの映像信号への重畳と読出しを実施させた。また、エンコーダＡとデコーダＡの間で使用される多重設定情報は、エンコーダＢとデコーダＢとの間で使用される多重設定情報と同じである場合を例示した。しかし、本発明はこれに限定されることはない。エンコーダＡとデコーダＡでの多重設定情報と、エンコーダＢとデコーダＢでの多重設定情報とが、異なっていてもよい。その場合には、図７に示す構成において、エンコーダＡで多重設定情報の変更コマンドが入力された場合、エンコーダＢで監視している多重ライン（位置）はエンコーダＡが補助データを重畳する多重ライン（位置）とは異なるため、エンコーダＢに対しては多重設定情報の変更指令はない。エンコーダＢとデコーダＢでは、これらで共有している多重ライン（位置）の補助データに対してのみ、上記した実施例の多重設定情報の変更、データの重畳及び読み出しを行う。また、その場合、エンコーダＡとエンコーダＢに対する多重設定情報の変更の指令は、エンコーダＡとエンコーダＢそれぞれに対して接続される別個の操作器を介して入力されるように構成される。
【実施例３】
【００３８】
以下、本発明の第３の実施例について説明する。
【００３９】
システム構成および内部構成は図７、図８に示した実施例２の場合と同様であり、実施例２と比較し、エンコーダＢ３０ｂの制御ＣＰＵ３７およびデコーダＡおよびＢ４０，４０ｂの制御ＣＰＵ３７の処理の一部が異なる。
【００４０】
エンコーダＢ３０ｂの制御ＣＰＵ３７の処理について図１１のフローチャートをもとに説明する。図９記載の実施例２の制御ＣＰＵ３７の処理と比較し、Ｓ６１の処理が追加されている。エンコーダＢ３０ｂは実施例２の場合と同様に、多重設定変更コマンドを受信した際には、設定を変更するが、図２記載の多重設定の中で、その他（汎用情報）の設定が現在の状態と異なる場合には、設定変更を行わないものとする（Ｓ６１）。
【００４１】
ここで、汎用情報について説明する。図１４にも記載のとおり、規格TR-B22において、UDWは前半４０ワードが汎用情報１、後半４０ワードが汎用情報２として規格化されている。従来のシステムが汎用情報１をあらかじめ使用しているような状況を考慮し、UDWの先頭からではなく、汎用情報２のみを他の目的のために使用することを可能とするための設定として、その他（汎用情報）の項目が用意されている。すなわち、同じ補助データのパケット内に、２種類のデータのために使用可能な分割された領域が、前半４０ワードの汎用情報１、後半４０ワードの汎用情報２として規定されている。多重ラインが異なる機器（エンコーダ、デコーダの対）が混在している場合、多重ラインが異なる設定のデコードＩＣは多重データを認識することができない。このため、異なる多重ラインに重畳された多重設定変更コマンドは、制御ＣＰＵ３７に送信されず、エンコーダと対になっているデコーダ以外の機器の設定が変更されることはない。しかしながら、汎用情報１と汎用情報２の間においては、どちらもTR-B22のフォーマットであるため、多重ライン等の設定情報が等しく、その設定から判断しないと、設定を変更するべきでない機器まで多重に関する設定が変更されてしまう可能性がある。すなわち、同一の多重ラインの汎用情報１と汎用情報２を取扱うエンコーダとデコーダのペアが別個に存在する場合、汎用情報１を取り扱うエンコーダに対する多重設定変更は、汎用情報２を取り扱うエンコーダに対しても多重設定変更をしてしまうことになる。その場合、多重設定変更後の設定が、UDWを汎用情報１及び２のように区分して利用できるようになっているTR-B22形式が設定される場合は問題が生じない。しかし、UDWを１つのデータ領域として扱うTR-B23のような形式に設定される場合は、変更後のUDWが２つのデータ領域として使用できなくなってしまうため問題が生じる。そのため、Ｓ６１では、その他（汎用情報）の設定が現在の状態と異なる場合への多重設定変更が要求される場合には、多重設定変更を行わないものとする。
【００４２】
次に、デコーダＢ４０ｂの制御ＣＰＵ３７の処理について図１２のフローチャートをもとに説明する。図１０記載の実施例２の場合と比較し、Ｓ７１の処理が追加されている。デコーダＢ４０ｂもエンコーダＢ３０ｂと同様に、設定指令を受けた際に、汎用情報の設定から、変更を行うか行わないかの判断を行う。
【００４３】
以上のように、多重設定の変更を実行するかしないかを設定内容によって判別することによって、不必要な設定変更を防止することができ、従来から使用しているシステムに影響を及ぼすような意図しない変更を防止することができる。また、制御ＣＰＵ３７自身で判別を行うため、それぞれの機器に個別のIDを振りわけるといったシステム全体を管理する必要がなく、システムの構築が容易、かつ容易に増設が可能になるという効果をもたらす。
【００４４】
本実施例の派生するシステムは、実施例１および２に記載の場合と同様である。加えて、本実施例では、TR-B22の汎用情報１および２の設定によって判別するとしたが、多重設定情報の内容であればどのような設定でもよい。
【００４５】
以上、本発明の好ましい実施形態について説明したが、本発明はこれらの実施形態に限定されず、その要旨の範囲内で種々の変形及び変更が可能である。
【符号の説明】
【００４６】
１０  操作器
３０  エンコーダ
３１  エンコーダＣＰＵ
３２  エンコードＩＣ
４０  デコーダ
４１  デコーダＣＰＵ
４２  デコードＩＣ
【図１】
2015046805.tif 000003
【図２】
2015046805.tif 000004
【図３】
2015046805.tif 000005
【図４】
2015046805.tif 000006
【図５】
2015046805.tif 000007
【図６】
2015046805.tif 000008
【図７】
2015046805.tif 000009
【図８】
2015046805.tif 000010
【図９】
2015046805.tif 000011
【図１０】
2015046805.tif 000012
【図１１】
2015046805.tif 000013
【図１２】
2015046805.tif 000014
【図１３】
2015046805.tif 000015
【図１４】
2015046805.tif 000016
【図１５】
2015046805.tif 000017